(57)【特許請求の範囲】
【請求項１】
操作ワイヤが押し引きされることで湾曲可能な湾曲部を有する内視鏡と、
前記内視鏡の挿入口から挿入され、前記内視鏡の内部にて前記挿入口と連通している処置具挿通チャンネルを介して前記内視鏡の先端から突出する内視鏡用処置具と、
前記内視鏡用処置具の駆動を制御する駆動制御部と、
前記内視鏡用処置具が前記挿入口に挿脱される際に、前記挿入口において、前記内視鏡用処置具の挿入方向に沿って移動する移動部と、
移動する前記移動部に連動して、前記湾曲部を弛張させる弛張機構と、
を具備することを特徴とする内視鏡システム。
【請求項２】
前記弛張機構は、
移動する前記移動部に連動して駆動する駆動機構と、
駆動する前記駆動機構によって前記湾曲部の弛張状態を所望に調整する調整部と、を有していることを特徴とする請求項１に記載の内視鏡システム。
【請求項３】
前記調整部は、駆動する前記駆動機構によって前記内視鏡用処置具の挿入方向に沿って移動することで前記湾曲部の弛張状態を所望に調整することを特徴とする請求項２に記載の内視鏡システム。
【請求項４】
前記駆動機構は、移動する前記移動部に連動して駆動する歯車機構であり、
前記調整部は、前記歯車機構によって前記内視鏡用処置具の挿入方向に沿って従動することで、前記操作ワイヤを弛張させ、前記湾曲部を弛張させる従動部を有することを特徴とする請求項３に記載の内視鏡システム。
【請求項５】
前記歯車機構は、前記移動部に形成される第１のラックと、前記第１のラックと噛み合うピニオンと、前記ピニオンと噛み合い、前記従動部に形成される第２のラックを有し、
前記従動部は、前記従動部に固定され、従動する前記従動部と共に前記内視鏡用処置具の挿入方向に沿って移動し、前記操作ワイヤの基端と接続しているプーリを有することを特徴とする請求項４に記載の内視鏡システム。
【請求項６】
前記駆動機構は、移動する前記移動部に連動して前記内視鏡用処置具の挿入方向に沿って移動可能な支持板部を有し、
前記調整部は、移動する前記支持板部に応じて前記操作ワイヤを引っ張り、前記操作ワイヤを弛張させ、前記湾曲部を弛張させる引張部を有することを特徴とする請求項３に記載の内視鏡システム。
【請求項７】
前記引張部は、前記引張部と接続し、前記操作ワイヤの基端と接続し、前記引張部の引っ張りに応じて前記内視鏡用処置具の挿入方向に沿って移動するプーリを有し、
前記支持板部と前記引張部は、移動する前記移動部に連動して、前記プーリを前記内視鏡用処置具の挿入方向に沿って引張移動させて、前記操作ワイヤを弛張させる引張移動機構を形成することを特徴とする請求項６に記載の内視鏡システム。
【請求項８】
前記駆動機構は、移動する前記移動部に一端を押圧されることで他端を中心に回動する第１の回動部を有し、
前記調整部は、前記操作ワイヤの基端と接続し配置位置を固定されているプーリと、回動する前記第１の回動部に連動して回動して前記プーリの配置位置を固定させた状態で、前記操作ワイヤを弛張させ、前記湾曲部を弛張させる第２の回動部を有することを特徴とする請求項２に記載の内視鏡システム。
【請求項９】
前記第１の回動部は、前記他端を中心に前記一端を回動させて、前記一端を前記移動部によって押圧される前の配置位置に復元する復元部を有することを特徴とする請求項８に記載の内視鏡システム。
【請求項１０】
前記第１の回動部と前記第２の回動部は、移動する前記移動部に連動して回動することで、前記操作ワイヤを弛張させる回動機構を形成することを特徴とする請求項９に記載の内視鏡システム。
【請求項１１】
前記移動部は、前記内視鏡用処置具が前記挿入口に挿脱される際に、前記内視鏡用処置具の挿入方向に沿って移動し、前記挿入口に対して挿脱可能な挿脱部であることを特徴とする請求項５，７，１０のいずれかに記載の内視鏡システム。
【請求項１２】
一端に前記挿脱部を有し、前記挿脱部を介して前記挿入口と接続した際に、前記挿入口を介して前記処置具挿通チャンネルまで前記内視鏡用処置具をガイドするガイド部材をさらに具備することを特徴とする請求項１１に記載の内視鏡システム。
【請求項１３】
前記挿脱部は、前記一端と一体であることを特徴とする請求項１２に記載の内視鏡システム。
【請求項１４】
前記ガイド部材と前記一端にて一体である前記挿脱部は、前記ガイド部材が前記挿入口を介して前記処置具挿通チャンネルにまで挿入されることを防止する防止部を有していることを特徴とする請求項１３に記載の内視鏡システム。
【請求項１５】
前記挿脱部が前記挿入口から抜去され、前記操作ワイヤが弛緩し、前記内視鏡用処置具が前記挿脱部の本体部の長さだけ後退すると、前記内視鏡用処置具は、前記挿脱部の本体部の長さだけ前記処置具挿通チャンネルに収納されることを特徴とする請求項１４に記載の内視鏡システム。
【請求項１６】
前記移動部が前記挿入口から抜去されることを防止する防止機構を有することを特徴とする請求項５，７，１０のいずれかに記載の内視鏡システム。
【請求項１７】
一端にて前記移動部を介して前記挿入口と接続し、接続により前記挿入口を介して前記処置具挿通チャンネルまで前記内視鏡用処置具をガイドするガイド部材を有し、
前記ガイド部材は、前記一端にて、前記移動部を押し当てる押し当て部を有することを特徴とする請求項１６に記載の内視鏡システム。
【請求項１８】
前記移動部が前記挿入口における前記内視鏡の基端側に移動し、前記操作ワイヤが弛緩し、前記内視鏡用処置具が前記挿脱部の本体部の長さだけ後退すると、前記内視鏡用処置具は、前記挿脱部の本体部の長さだけ前記処置具挿通チャンネルに収納されることを特徴とする請求項１７に記載の内視鏡システム。
【請求項１９】
前記挿入口から前記内視鏡に挿入される挿入部材には、前記挿入部材が前記挿入口に挿入される際に、前記移動部を押し当てる押し当て部が設けられていることを特徴とする請求項１６に記載の内視鏡システム。
【発明の詳細な説明】
【技術分野】
【０００１】
本発明は、処置具が挿通する挿通部を有する内視鏡を備える内視鏡システムに関する。
【背景技術】
【０００２】
一般に内視鏡には、患者の体腔内等に挿入される細長い挿入部と、挿入部の手元側に位置する基端と連結し、挿入部を操作する操作部が設けられている。
【０００３】
操作部には、挿入部が体腔内に挿入された際に患部などを処置する内視鏡用処置具を挿入部側に挿入させる処置具挿入部が設けられている。処置具挿入部における処置具挿入口には、内視鏡用処置具を処置具挿入部にガイドするガイドチューブ（エクステンションチューブ）が取り付けられている。
【０００４】
挿入部は、操作部側から順に細長い可撓管部と、湾曲する湾曲部と、先端硬性部を有している。可撓管部と、湾曲部と、先端硬性部には、内視鏡用処置具が挿通する挿通部である処置具挿通チャンネルが配設されている。処置具挿通チャンネルの基端部は、可撓管部と処置具挿入部を介して処置具挿入口と連結されている。
【０００５】
内視鏡用処置具は、ガイドチューブを挿通することで処置具挿入口までガイドされ、処置具挿入口から処置具挿入部を介して処置具挿通チャンネル内に挿入される。その後、内視鏡用処置具は、挿入部の先端まで押し込み操作されると、先端硬性部における処置具挿通チャンネルの先端から体腔内に突出される。これにより患部は、内視鏡用処置具によって処置される。
【０００６】
患部が内視鏡用処置具によって処置されると、内視鏡用処置具は内視鏡から抜去されることになる。その際、ガイドチューブが処置具挿入口から取り外された後、湾曲部が湾曲した状態であっても、内視鏡用処置具は内視鏡から抜去されることになる。
【０００７】
なお抜去する際、挿入部（処置具挿通チャンネル）と内視鏡用処置具が長く、また内視鏡用処置具が多関節機構を有し、湾曲部が湾曲した状態では、抜去は困難となる。そのため抜去する際、ガイドチューブを処置具挿入口から取り外す動作と、この動作の後に、手動で操作ワイヤを操作して挿入部を例えば略直線状態といった非湾曲状態や弛緩状態に変形させる動作が必要である。このような２つの動作の後、内視鏡用処置具が内視鏡から抜去される。
【０００８】
例えば特許文献１には、入口口金に挿入口カバーが取り付けられている内視鏡用挿入口カバー付き処置具が開示されている。
【０００９】
また例えば特許文献２には、挿入補助具がルアーロック口金に対して着脱自在に取り付けられている内視鏡用挿入補助具が開示されている。
【００１０】
また例えば特許文献３には、ガイドチャンネルの入り口に設けられた挿入口金に挿入補助具が取り付けられている内視鏡挿入補助具が開示されている。挿入補助具は、挿入口金の手前で可撓性挿入部の小さな曲率半径で曲がるのを防止し、外方に突出した状態に取り付けられている。挿入補助具には、基端部に係合口金が一体に形成され、係合口金が挿入口金に対して係脱自在に係合することにより、挿入補助具が挿入口金に対して固定／解除自在になっている。
【００１１】
また例えば特許文献４には、特許文献３と略同様の内視鏡挿入補助具が開示されている。なお係合口金は、基端部に、分離可能に連結されている。
【００１２】
また例えば特許文献５には、処置具及びこれを備える内視鏡処置システムが開示されている。特許文献５において、カバー部材は、鉗子口と密着して着脱可能なＯリングと、先端側がＯリングに密着され基端側が操作部本体に固着された可撓性を有するカバー本体とを備えている。
【００１３】
また例えば特許文献６には、処置具を内視鏡の処置具挿通チャンネルに容易にかつ安全に挿脱させることができる内視鏡の処置具挿入補助具とそれに用いられる処置具が開示されている。
【特許文献１】特開平９−７５３５７号公報
【特許文献２】特開平９−１４０６６２号公報
【特許文献３】特開２００１−１４９３０８号公報
【特許文献４】特開２００１−１４９３１０号公報
【特許文献５】特開２００５−７３５７５９号公報
【特許文献６】特開平１１−２２５９５０号公報
【発明の開示】
【発明が解決しようとする課題】
【００１４】
しかしながら、上述したように湾曲部が湾曲した状態で、内視鏡用処置具を内視鏡から抜去するには、抜去のための操作力量が増加してしまい、また湾曲部の湾曲角度によって抜去できない虞が生じる。
【００１５】
またガイドチューブを処置具挿入口から取り外す動作と、手動で湾曲部を非湾曲状態や弛緩状態に変形させる動作を行うことは、抜去のための手間と時間がかかる。
【００１６】
そのため本発明は、上記課題を鑑みて、内視鏡用処置具を容易に抜去できる内視鏡を備える内視鏡システムを提供することを目的とする。
【課題を解決するための手段】
【００１７】
本発明は目的を達成するために、操作ワイヤが押し引きされることで湾曲可能な湾曲部を有する内視鏡と、前記内視鏡の挿入口から挿入され、前記内視鏡の内部にて前記挿入口と連通している処置具挿通チャンネルを介して前記内視鏡の先端から突出する内視鏡用処置具と、前記内視鏡用処置具の駆動を制御する駆動制御部と、前記内視鏡用処置具が前記挿入口に挿脱される際に、前記挿入口において、前記内視鏡用処置具の挿入方向に沿って移動する移動部と、移動する前記移動部に連動して、前記湾曲部を弛張させる弛張機構と、を具備することを特徴とする内視鏡システムを提供する。
【発明の効果】
【００１８】
本発明によれば、内視鏡用処置具を容易に抜去できる内視鏡を備える内視鏡システムを提供することができる。
【発明を実施するための最良の形態】
【００１９】
以下、図面を参照して本発明の実施形態について詳細に説明する。  
図１乃至図６と図７Ａと図７Ｂを参照して第１の実施形態について説明する。図１は、本実施形態の内視鏡操作システム１の概略構成を示す図である。  
図１に示すように内視鏡２には、患者の体腔内等に挿入される細長い挿入部１０と、挿入部１０の手元側に位置する基端と連結し、挿入部１０を操作する操作部３０が設けられている。
【００２０】
操作部３０には、術者が把持する把持部３１と、挿入部１０の後述する湾曲部１２を湾曲させる湾曲操作ノブ３２が設けられている。
【００２１】
把持部３１には、ユニバーサルコード３３の基端部が連結されている。このユニバーサルコード３３の先端部には、図示しない光源装置や、ビデオプロセッサなどに接続されるコネクタ部３４が連結されている。
【００２２】
湾曲操作ノブ３２には、挿入部１０の後述する湾曲部１２を左右に湾曲操作させる左右湾曲操作ノブ３２ａと、湾曲部１２を上下に湾曲操作させる上下湾曲操作ノブ３２ｂが設けられている。左右湾曲操作ノブ３２ａには、左右湾曲操作ノブ３２ａによって駆動する左右方向の湾曲操作機構が接続している。また上下湾曲操作ノブ３２ｂには、上下湾曲操作ノブ３２ｂによって駆動する上下方向の湾曲操作機構が接続している。上下方向の湾曲操作機構と左右方向の湾曲操作機構は、操作部３０内に配設される後述する例えばプーリ９２等である。上下方向の湾曲操作機構と左右方向の湾曲操作機構（プーリ９２）は、湾曲部１２全体を湾曲操作する後述する操作ワイヤ５４の基端と接続している。
【００２３】
なお図１には、湾曲部１２を上下に湾曲操作させる上下湾曲操作ノブ３２ｂの配置例が示されているが、本実施形態では、上下湾曲操作ノブ３２ｂを採用しないこととして説明する。
【００２４】
操作部３０には、吸引ボタン３５と、送気・送水ボタン３６と、内視鏡撮影用の各種ボタン３７と、処置具挿入部３８とが設けられている。処置具挿入部３８には、後述する内視鏡用処置具２００が挿通する挿通部である後述する処置具挿通チャンネル３９の挿入口４０が設けられている。
【００２５】
挿入口４０には、内視鏡２の外部から挿入口４０を介して処置具挿通チャンネル３９まで内視鏡用処置具２００をガイドするガイド部材であるガイドチューブ５０が自在に挿脱（着脱）する。
【００２６】
図２Ａと図３Ａに示すようにガイドチューブ５０の一端５０ａには、内視鏡用処置具２００が挿入口４０を介して処置具挿通チャンネル３９に挿脱される際に、挿入口４０において、内視鏡用処置具２００（内視鏡２）の挿入方向に沿って移動する移動部が設けられている。この移動部は、内視鏡用処置具２００が挿入口４０を介して処置具挿通チャンネル３９に挿脱される際に、例えば内視鏡用処置具２００の挿入方向に沿って移動し、挿入口４０に対して挿脱可能な挿脱部６１である。この挿脱部６１は、一端５０ａと一体であり、挿入口４０に対して例えば上下方向に移動して、挿脱されることとなる。挿脱部６１には、図２Ａに示すようにガイドチューブ５０を挿通した内視鏡用処置具２００が挿通する。挿脱部６１を挿通した内視鏡用処置具２００は、処置具挿通チャンネル３９を挿通する。
【００２７】
このようにガイドチューブ５０は、一端５０ａにおいて、挿入口４０に挿脱されることで挿入口４０に対して自在に着脱する挿脱部６１を有していることとなる。つまりガイドチューブ５０は、挿脱部６１によって挿入口４０に自在に挿脱される挿脱部材である。
【００２８】
ガイドチューブ５０（挿脱部６１）が挿入口４０と接続し、内視鏡用処置具２００がガイドチューブ５０に挿入された際、ガイドチューブ５０は内視鏡用処置具２００を処置具挿通チャンネル３９までガイドする。つまりガイドチューブ５０は、挿脱部６１を介して挿入口４０と接続した際に、挿入口４０を介して処置具挿通チャンネル３９まで内視鏡用処置具２００をガイドする。
【００２９】
内視鏡用処置具２００は、ガイドチューブ５０から挿入口４０を介して処置具挿通チャンネル３９内に挿入される。さらに内視鏡用処置具２００は、後述する挿入部１０の先端硬性部１３側まで押し込み操作された後、図１に示すように処置具挿通チャンネル３９の先端開口部３９ａから体腔内に突出（挿入）される。
【００３０】
一端５０ａと他端５０ｂと挿脱部６１を含むガイドチューブ５０は、例えば樹脂などによって形成される。
【００３１】
挿脱部６１の本体部６２の大きさ（例えば外径）は、挿入口４０の大きさ（例えば内径）と略同様である。
【００３２】
また挿脱部６１は、基端部６３にて、ガイドチューブ５０が挿入口４０を介して処置具挿通チャンネル３９にまで挿入されることを防止する防止部６４を有している。防止部６４の大きさ（例えば外径）は、挿入口４０の大きさ（例えば内径）よりも大きい。防止部６４が挿入口４０の周辺における端面４０ａに当接する（突き当たる）ことで、ガイドチューブ５０は処置具挿通チャンネル３９にまで挿入されることを防止される。
【００３３】
挿入口４０の近傍には、図２Ａと図３Ａに示すように、挿入口４０に対して挿脱される挿脱部６１（移動する移動部）に連動して、湾曲部１２を弛張させる弛張機構５２が設けられている。
【００３４】
弛張機構５２は、挿入口４０に対して挿脱される挿脱部６１に連動して駆動する駆動機構７０と、駆動する駆動機構７０によって湾曲部１２の弛張状態を所望に調整する調整部９０と、を有している。
【００３５】
駆動機構７０は、本体部６５の側面６５に形成されるラック６６と、ラック６６と噛み合うピニオン７２と、ピニオン７２と噛み合う後述するラック９１ｂとを有している。
【００３６】
調整部９０は、挿入口４０の近傍における操作部３０内に配置されており、駆動する駆動機構７０によって内視鏡用処置具２００（内視鏡２、ガイドチューブ５０）の挿入方向に沿って移動することで湾曲部１２の弛張状態を所望に調整する。
【００３７】
この調整部９０は、駆動機構７０によって内視鏡用処置具２００の挿入方向に沿って従動することで、操作ワイヤ５４を弛張させ、湾曲部１２を弛張させる従動部であるプーリ台９１を有している。つまりプーリ台９１は、内視鏡用処置具２００の挿入方向に沿って移動可能である。またプーリ台９１は、プーリ台９１が移動することで、移動するプーリ台９１と共に内視鏡用処置具２００の挿入方向に沿って移動するプーリ９２を有している。プーリ９２は、プーリ台９１に固定され、操作ワイヤ５４の基端と接続している。
【００３８】
またプーリ台９１は、側面９１ａにピニオン７２と噛み合うラック９１ｂを有している。側面９１ａの長軸方向におけるラック９１ｂ間の長さＬ１は、側面６５の長軸方向におけるラック６６間の長さＬ２よりも長い。
【００３９】
プーリ台９１は、図２Ａに示すように挿脱部６１が挿入口４０に挿入されると、ラック６６とピニオン７２とラック９１ｂによって内視鏡２の基端（操作部３０）側に従動（移動）し、内視鏡２の基端側に配置される。これによりプーリ９２も内視鏡２の基端側に配置される。図２Ａは、プーリ台９１とプーリ９２が内視鏡２の基端側に配置され、プーリ台９１がプーリ９２を介して操作ワイヤ５４を緊張させている（張らせている）状態を示す。これにより湾曲部１２は、緊張する。
【００４０】
またプーリ台９１は、図３Ａに示すように挿脱部６１が挿入口４０から抜去されると、ラック６６とピニオン７２とラック９１ｂによって内視鏡２の先端（後述する先端硬性部１３）側に移動し、内視鏡２の先端側に配置される。これによりプーリ９２も内視鏡２の先端側に配置される。図３Ａは、プーリ台９１とプーリ９２が内視鏡２の先端側に配置され、プーリ台９１がプーリ９２を介して操作ワイヤ５４を弛緩させている（弛めている）状態を示す。これにより湾曲部１２は、弛緩する。
【００４１】
上記において、駆動機構７０におけるラック６６とピニオン７２とラック９１ｂは、挿入口４０に対して挿脱される挿脱部６１によって被動し、その際、連動して互いに噛み合い、調整部９０におけるプーリ台９１とプーリ９２を内視鏡用処置具２００の挿入方向に沿って移動させる。調整部９０におけるプーリ台９１とプーリ９２は、内視鏡用処置具２００の挿入方向に沿って移動することで、操作ワイヤ５４を弛張させ、図２Ｂと図３Ｂに示すように湾曲部１２を弛張させる、つまり湾曲部１２の弛張状態を所望に調整する。
【００４２】
またラック６６とピニオン７２とラック９１ｂは、挿入口４０に対して挿脱される挿脱部６１に連動して噛み合うことで、プーリ台９１（プーリ９２）を内視鏡用処置具２００の挿入方向に沿って移動させて、操作ワイヤ５４を弛張させる歯車機構５２ａを形成する。言い換えると弛張機構５２（駆動機構７０）は、ラック６６とピニオン７２とラック９１ｂによって形成され、挿入口４０に対して挿脱される挿脱部６１に連動して駆動し、操作ワイヤ５４を弛張させる歯車機構５２ａを有している。
【００４３】
なお歯車機構５２ａの歯数（プーリ台９１の移動長さ）等は、弛張する操作ワイヤ５４によって湾曲部１２が弛張するように、所望に調整される。
【００４４】
また長さＬ１は長さＬ２よりも長いため、ラック９１ｂはピニオン７２から抜け落ちない。またプーリ台９１には、挿脱部６１が挿入口４０から抜去された際に、プーリ台９１が例えばプーリ台９１の自重や意図しないピニオン７２の回転によって図３Ａに示す状態よりもさらに内視鏡２の先端側に移動することを防止する図示しない防止機構が設けられていても良い。
【００４５】
図１に示す挿入部１０は、操作部３０側から順に可撓管部（蛇管部）１１と、湾曲部１２と、先端硬性部１３を有している。詳細には、操作部３０は、細長い可撓管部１１の基端と連結している。可撓管部１１の先端は、湾曲部１２の基端と連結している。湾曲部１２の先端は、先端硬性部１３の基端と連結している。
【００４６】
可撓管部１１は、弾力性と可撓性を有し、外力によって曲がる。
【００４７】
湾曲部１２は、左右湾曲操作ノブ３２ａが操作されることで、プーリ９２を介して操作ワイヤ５４が押し引きされ、左右方向に湾曲する。湾曲部１２が湾曲することにより、先端硬性部１３の位置と向きが変わり、所望する観察対象物（体腔内の患部や病変部等）が観察視野（または撮像視野）内に捉えられる。
【００４８】
詳細には、２本の操作ワイヤ５４は、湾曲部１２全体を左右の２方向にそれぞれ湾曲操作する。操作ワイヤ５４の先端は、湾曲部１２内部に挿通され、先端硬性部１３の基端と連結されている。この操作ワイヤ５４の基端は、操作部３０の上述した左右方向の湾曲操作機構（プーリ９２）と連結されている。  
左右湾曲操作ノブ３２ａの回動操作にともない、左右方向の湾曲操作機構（プーリ９２）が移動し、各操作ワイヤ５４がそれぞれ牽引駆動される。これにより、例えば湾曲部１２は、図４中に一点鎖線で示すように真っ直ぐに伸びた湾曲角度が０°の通常の直線状態（非湾曲状態）から同図中に実線または二点鎖線で示すように左右方向に任意の湾曲角度に湾曲した湾曲状態に湾曲する。
【００４９】
図１に示すように先端硬性部１３の先端面１３ａには、観察窓１４と照明窓１５と先端開口部３９ａが設けられている。
【００５０】
観察窓１４の内側には、図示しない対物レンズ等の光学系とＣＣＤ等の撮像素子を備える撮像部が設けられている。撮像部は、体腔内の患部等を撮像する。撮像部で得られた撮像信号は、図示しない画像処理装置に送られる。
【００５１】
先端開口部３９ａは、挿入部１０内に形成された処置具挿通チャンネル３９を通じて挿入口４０に連通している。処置具挿通チャンネル３９は、例えば多関節湾曲機構を有する内視鏡用処置具２００が挿入部１０を挿通する通路として用いられる。
【００５２】
本実施形態では１つの処置具挿通チャンネル３９に対して１つの内視鏡用処置具２００が挿通する場合を想定しているが、数は限定する必要はなく、例えば複数の内視鏡用処置具２００が処置具挿通チャンネル３９に挿入してもよい。また複数の処置具挿通チャンネル３９が設けられ、各挿通用チャンネルそれぞれに内視鏡用処置具２００が挿通することも可能である。
【００５３】
なお可撓管部１１や湾曲部１２には、図示しない外皮チューブが被覆されている。この外皮チューブは、ゴムなどの弾性材料で可撓管部１１や湾曲部１２と略同形状（例えば中空形状や円筒形状）に形成されている。この外皮チューブは、熱可塑性エラストマー（スチレン系，オレフィン系，またはウレタン系等）の材質の弾性材料によって射出成形されてもよい。なお、熱可塑性エラストマーの成形は、射出成形に限定されず、注型、押出し、ブロー等の各種成形方法を適用してもよい。
【００５４】
なお先端硬性部１３は、可撓管部１１や湾曲部１２と同様に外皮チューブによって被覆されていても良い。
【００５５】
また内視鏡２における挿入部１０は、湾曲可能なチューブであればよい。
【００５６】
次に本実施形態における内視鏡用処置具２００について説明する。  
図１に示すように患部を処置する内視鏡用処置具２００は、多関節湾曲機構を有している。
【００５７】
内視鏡用処置具２００は、体腔内に挿入される挿入部２０２を有している。挿入部２０２の基端は、内視鏡用処置具２００の駆動を制御する駆動制御部２０３と連結している。駆動制御部２０３は、挿入部２０２における湾曲部２１１を湾曲駆動させる湾曲駆動部である。駆動制御部２０３には、後述する把持鉗子２１３を操作する処置具操作部２０１が設けられている。なお処置具操作部２０１と駆動制御部２０３は、ガイドチューブ５０の他端５０ｂ側から抜け出ている内視鏡用処置具２００の基端である。
【００５８】
図１と図２Ａと図３Ａに示すように挿入部２０２は、ガイドチューブ５０と、挿入口４０と、処置具挿通チャンネル３９を通じて先端開口部３９ａから体腔内に突出（挿入）される。挿入部２０２は、図５と図６に示すように手元（基端）側に位置する可撓管部（軟性部）２１０と、可撓管部２１０の先端と連結している湾曲部２１１と、湾曲部２１１の先端と連結している先端部２１２を有する。
【００５９】
可撓管部２１０は、弾力性と可撓性を有し、外力によって曲がる。
【００６０】
湾曲部２１１は、多関節湾曲機構を有し、上下左右に所望に湾曲する。詳細には、図５と図６に示すように湾曲部２１１は、節輪２２１と節輪２２２と節輪２２３と節輪２２４を有し、節輪２２１と節輪２２２と節輪２２３と節輪２２４が連結することで、構成される。なお連結する節輪の数は、４個に限定する必要はなく、少なくとも２つであればよい。節輪２２１と節輪２２２と節輪２２３と節輪２２４は、環状の部材によって形成され、挿入部２０２の長軸方向へ一列に同軸的に並べて配置される。節輪２２１と節輪２２２と節輪２２３と節輪２２４は、隣接する節輪同士で回動自在に連結し、これにより多関節湾曲機構が構成される。
【００６１】
図７Ａは、図６中のＡ−Ａ矢視線で示す水平面で湾曲部２１１を挿入部２０２の長軸方向に沿って縦断した断面を上から見た断面図である。図７Ｂは、図６中のＢ−Ｂ矢視線で示す鉛直面で湾曲部２１１を挿入部２０２の長軸方向に沿って縦断した断面を左側から見た断面図である。湾曲部２１１についての上下左右の向きは図６に示す指標の通りである。
【００６２】
節輪２２１と節輪２２２は、第１回動軸部２２５を中心に回動可能に接続し、第１回動軸部２２５によって回動自在に連結される。第１回動軸部２２５の軸方向は、挿入部２０２の長軸方向と直交し、かつ図６で示す上下方向に沿う向きで配置される。したがって、節輪２２１と節輪２２２は、図６において手元（基端）側から見て相対的に左右方向へ回動自在である。
【００６３】
節輪２２２と節輪２２３は、第２回動軸部２２６を中心に回動可能に接続し、第２回動軸部２２６によって回動自在に連結される。第２回動軸部２２６の軸方向は、挿入部２０２の長軸方向と直交し、かつ図６で示す左右方向に沿う向きで配置される。したがって、節輪２２２と節輪２２３は、図６において手元（基端）側から見て相対的に上下方向へ回動自在である。
【００６４】
節輪２２３と節輪２２４は、第３回動軸部２２７を中心に回動可能に接続し、第３回動軸部２２７によって回動自在に連結される。第３回動軸部２２７の軸方向は、挿入部２０２の長軸方向と直交し、かつ図６で示す上下方向に沿う向きで配置される。したがって、節輪２２３と節輪２２４は、図６において手元（基端）側から見て相対的に左右方向へ回動自在である。
【００６５】
つまり第１回動軸部２２５は、節輪２２１と節輪２２２を相対的に左右方向へ回動させる関節を構成している。また第２回動軸部２２６は、節輪２２２と節輪２２３を相対的に上下方向へ回動させる関節を構成している。また第３回動軸部２２７は、節輪２２３と節輪２２４を相対的に左右方向へ回動する関節を構成している。
【００６６】
本実施形態では、第１回動軸部２２５と、第２回動軸部２２６と、第３回動軸部２２７の軸方向は、交互に９０°ずれている。つまり節輪２２１，２２２と節輪２２３，２２４は、左右方向へ回動する。また節輪２２２，２２３は、上下方向へ回動する。さらに回動軸部２２５，２２６，２２７の軸方向は、湾曲部２１１の中心軸（長軸）Ｌ（図６と図７Ａと図７Ｂ参照）に対し直交する。この中心軸Ｌは、挿入部２０２の長軸に一致している。
【００６７】
図７Ａと図７Ｂに示すように、節輪２２１，２２２，２２３，２２４には、それぞれの端縁から突き出ている舌片状の連結部２３０が設けられている。連結部２３０が互いに重ね合わさった際、回動軸部２２５，２２６，２２７は、重ね合わさった部分に貫通する。つまり回動軸部２２５，２２６，２２７は、リベット状の軸部材である。
【００６８】
このように構成された多関節湾曲機構は、柔軟な外皮（図示せず）によって被覆される。これにより湾曲部２１１が構成される。
【００６９】
図７Ａと図７Ｂに示すように、挿入部２０２内には、節輪２２１と接続する第１組目の非伸縮性の一対の操作ワイヤ２３１（２３１ａ，２３１ｂ）と、節輪２２２と接続する第２組目の非伸縮性の一対の操作ワイヤ２３２（２３２ａ，２３２ｂ）と、節輪２２３と接続する第３組目の非伸縮性の一対の操作ワイヤ２３３（２３３ａ，２３３ｂ）と、が挿通されている。
【００７０】
操作ワイヤ２３１ａ，２３１ｂは、図７Ａに示すように湾曲部２１１内において、中心軸Ｌを間にして左右対称に配置されている。操作ワイヤ２３１ａ，２３１ｂの先端は、節輪２２１内領域へ延び、節輪２２１と接続する。  
節輪２２１の中心軸の方向は、中心軸Ｌの方向と略一致している。節輪２２１の中心軸の方向と第１回動軸部２２５の軸方向の両方を通る一平面において、節輪２２１の右側半分を右側部位とし、節輪２２１の左側半分を左側部位とする。  
上述した操作ワイヤ２３１ａの先端は、節輪２２１の右側部位に接続する。また操作ワイヤ２３１ｂの先端は、節輪２２１の左側部位に接続する。操作ワイヤ２３１ａが図７Ａに示す基端（手元）側へ牽引されると、節輪２２１は第１回動軸部２２５を中心に右側へ向かって回動する。また操作ワイヤ２３１ｂが基端側へ牽引されると、節輪２２１は第１回動軸部２２５を中心に左側へ向かって回動する。このように操作ワイヤ２３１は、節輪２２１を回動させる。
【００７１】
操作ワイヤ２３２ａ，２３２ｂは、図７Ｂに示すように湾曲部２１１内において、中心軸Ｌを間にして上下対称に配置されている。操作ワイヤ２３２ａ，２３２ｂの先端は、節輪２２２内領域へ延び、節輪２２２と接続する。  
節輪２２２の中心軸の方向は、中心軸Ｌの方向と略一致している。節輪２２２の中心軸の方向と第２回動軸部２２６の軸方向の両方を通る一平面において、節輪２２２の上側半分を上側部位とし、節輪２２２の下側半分を下側部位とする。  
上述した操作ワイヤ２３２ａの先端は、節輪２２２の上側部位に接続する。また操作ワイヤ２３２ｂの先端は、節輪２２２の下側部位に接続する。操作ワイヤ２３２ａが図７Ｂに示す基端（手元）側へ牽引されると、節輪２２２は第２回動軸部２２６を中心に上側へ向かって回動する。また操作ワイヤ２３２ｂが図７Ｂに示す基端側へ牽引されると、節輪２２２は第２回動軸部２２６を中心に下側へ向かって回動する。このように操作ワイヤ２３２は、節輪２２２を回動させる。
【００７２】
操作ワイヤ２３３ａ，２３３ｂは、図７Ａに示すように湾曲部２１１内において、中心軸Ｌを間にして左右対称に配置されている。操作ワイヤ２３３ａ，２３３ｂの先端は、節輪２２３内領域へ延び、節輪２２３と接続する。  
節輪２２３の中心軸の方向は、中心軸Ｌの方向と略一致している。節輪２２３の中心軸の方向と第３回動軸部２２７の軸方向の両方を通る一平面において、節輪２２３の右側半分を右側部位とし、節輪２２３の左側半分を左側部位とする。  
上述した操作ワイヤ２３３ａの先端は、節輪２２３の右側部位に接続する。また操作ワイヤ２３３ｂの先端は、節輪２２３の左側部位に接続する。操作ワイヤ２３３ａが図７Ａに示す基端（手元）側へ牽引されると、節輪２２３は第３回動軸部２２７を中心に右側へ向かって回動する。また操作ワイヤ２３３ｂが図７Ａに示す基端側へ牽引されると、節輪２２３は第３回動軸部２２７を中心に左側へ向かって回動する。このように操作ワイヤ２３３は、節輪２２３を回動させる。
【００７３】
以上の如く節輪２２１，２２２，２２３には、個別的に対応した一対の操作ワイヤ２３１，２３２，２３３が接続している。湾曲部２１１において、一対の操作ワイヤ２３１，２３２，２３３が適宜選択されて押し引き操作されると、節輪２２１，２２２，２２３は独立して回動する。
【００７４】
これにより多関節機構が形成され、湾曲部２１１は上下左右の４方向にそれぞれ湾曲できるように構成される。
【００７５】
なお操作ワイヤ２３１，２３２，２３３の先端が節輪２２１，２２２，２２３と接続する手段は、種々の方法を採用することが可能であり、例えばロウ付け固定される。
【００７６】
図７Ａに示すように節輪２２１の基端部において、節輪２２１の右側部位と左側部位には、節輪２２１の内側に向けて突き出た切起し片２３５が形成される。操作ワイヤ２３１ａの先端は、右側部位における切起し片２３５に差し込まれ、この切起し片２３５にロウ付け固定される。また操作ワイヤ２３１ｂの先端は、左側部位における切起し片２３５に差し込まれ、この切起し片２３５にロウ付け固定される。
【００７７】
また図７Ｂに示すように節輪２２２の基端部において、節輪２２２の上側部位と下側部位には、節輪２２２の内側に向けて突き出た切起し片２３５が形成される。操作ワイヤ２３２ａの先端は、上側部位における切起し片２３５に差し込まれ、この切起し片２３５にロウ付け固定される。また操作ワイヤ２３２ｂの先端は、下側部位における切起し片２３５に差し込まれ、この切起し片２３５にロウ付け固定される。
【００７８】
また図７Ａに示すように節輪２２３の基端部周囲において、節輪２２３の右側部位と左側部位には、節輪２２３の内側に向けて突き出た切起し片２３５が形成される。操作ワイヤ２３３ａの先端は、右側部位における切起し片２３５に差し込まれ、この切起し片２３５にロウ付け固定される。また操作ワイヤ２３３ｂの先端は、左側部位における切起し片２３５に差し込まれ、この切起し片２３５にロウ付け固定される。
【００７９】
また操作ワイヤ２３１はガイドシース２４１に、操作ワイヤ２３２はガイドシース２４２に、操作ワイヤ２３３はガイドシース２４３に、挿通されて個別に駆動制御部２０３まで導かれる。ガイドシース２４１，２４２，２４３は、可撓性を有し、例えば密巻きコイルまたは樹脂チューブ等の、シース状の弾性を有する弾性部材により形成される。ガイドシース２４１，２４２，２４３の内孔は、操作ワイヤ２３１，２３２，２３３の進行方向をガイドする案内部材である。
【００８０】
ガイドシースの先端は、自身がガイドする操作ワイヤが接続される節輪ではなく、それよりも基端側に配置される節輪に対して接続される。例えば、ガイドシース２４１ａ，２４１ｂの先端は、節輪２２２と接続する。またガイドシース２４２ａ，２４２ｂの先端は、節輪２２３と接続する。
【００８１】
詳細には、各ガイドシースの先端は、各節輪に設けられたワイヤガイドに固定される。なおガイドシース２４１，２４２，２４３は、図示しない接続口金等の接続具を用いてワイヤガイドに間接的に固定されてもよい。
【００８２】
ガイドシース２４１，２４２，２４３の基端は、湾曲部２１１の基端部（可撓管部２１０の先端部）に接続してもよい。
【００８３】
ガイドシースの先端が接続している節輪は、このガイドシースがガイドする操作ワイヤが接続される節輪ではなく、この操作ワイヤが接続される節輪よりも基端側に配置されている節輪である。したがってガイドシースの先端から突き出た操作ワイヤの先端は、ガイドシースの先端が接続している節輪の先端に配置される節輪と接続する。つまり操作ワイヤは、接続される節輪よりも基端側に配置される節輪まではガイドシース内に挿通されて導かれる。したがって、ガイドシースによって導かれる操作ワイヤは、他の操作ワイヤやガイドシース等の内蔵物に直接触れず、干渉を避けられる。
【００８４】
なお図６に示すように、節輪２２４は、湾曲部２１１の最基端に配置される節輪である。つまり節輪２２４は湾曲部２１１の基端部とみなすことができる。可撓管部２１０の先端部には、接続口金等の接続部材２４５が設けられている。節輪２２４は、接続部材２４５と連結する。また、節輪２２４は接続部材２４５に対して回動自在に連結してよい。この場合、接続部材２４５が湾曲部２１１の基端部とみなせる。
【００８５】
図５に示すように、駆動制御部２０３には、湾曲部操作機構及び処置部操作機構が設けられている。
【００８６】
湾曲部操作機構は、操作ワイヤ２３１，２３２，２３３をそれぞれ押し引き操作する駆動モータ２５１，２５２，２５３を備える。
【００８７】
また、処置部操作機構は、操作ワイヤ２３４を押し引き操作するための駆動モータ２５４を備える。
【００８８】
操作ワイヤ２３１，２３２，２３３は、回動操作対象である節輪２２１，２２２，２２３に対応し、回動操作する。操作ワイヤ２３４は、把持鉗子２１３を操作する。
【００８９】
駆動モータ２５１，２５２，２５３，２５４の駆動軸には、それぞれプーリ２５５が取り付けられている。各駆動軸は、図示しない減速機を介して各プーリ２５５と連結してもよい。各プーリ２５５には、操作ワイヤ２３１，２３２，２３３，２３４が掛けられている。そして、駆動モータ２５１，２５２，２５３，２５４がそれぞれ個別的に駆動し、プーリ２５５が回動すると、プーリ２５５に掛けられた操作ワイヤ２３１，２３２，２３３，２３４が押し引き操作される。
【００９０】
湾曲部操作機構及び処置部操作機構は、プーリ２５５を利用した伝達機構を用いたが、例えばピニオンギアやラックを利用する歯車機構等であってもよい。また湾曲部操作機構及び処置部操作機構は、駆動モータ２５１，２５２，２５３，２５４の代わりに他の形式の駆動アクチュエータを用いてもよい。
【００９１】
図１と図５に示すように、駆動制御部２０３は、ケーブル２５７を介して処置具制御部２５８に接続されている。処置具制御部２５８には、操作入力装置としての湾曲操作部２０４がケーブル２５９を介して接続される。また処置具制御部２５８には、図５に示すように電力供給用電源コード２９０が設けられている。
【００９２】
湾曲操作部２０４は、例えば術者によって操作されることで内視鏡用処置具２００の位置と姿勢を指示する例えばジョイスティック（操作入力装置）２０５を有する。このジョイスティック２０５は、３段重に連接した３つのジョイスティックスイッチ２０５ａ，２０５ｂ，２０５ｃを有する。ジョイスティックスイッチ２０５ａ，２０５ｂ，２０５ｃは、操作ボックス２０６に取り付けられている。
【００９３】
なお図５は、１つの内視鏡用処置具２００に対する駆動制御部２０３と処置具制御部２５８と湾曲操作部２０４を図示している。また上述したように、１つの処置具挿通チャンネル３９に対して複数の内視鏡用処置具２００が挿通される場合、内視鏡用処置具２００それぞれに対して駆動制御部２０３と処置具制御部２５８と湾曲操作部２０４が配置されることとなる。
【００９４】
図１に示すように、処置具制御部２５８には、ジョイスティック２０５から出力される指示やジョイスティック２０５の機能を制御するための条件等を入力する機能制御入力部２５８ａと、駆動モータ２５１，２５２，２５３を駆動制御するモータドライバ（処置具駆動制御部）２５８ｂと、駆動制御部２０３とケーブル２５７を介して接続し駆動制御部２０３との間で通信を行うモータユニット通信部２５８ｃが設けられている。
【００９５】
ジョイスティックスイッチ２０５ａ，２０５ｂ，２０５ｃが選択的に操作されると、処置具制御部２５８は、術者によるジョイスティック２０５の操作に応じて駆動モータ２５１，２５２，２５３を駆動させる制御信号をモータドライバ２５８ｂに送信し、駆動モータ２５１，２５２，２５３を回転させる。つまりジョイスティック２０５の操作に対応して駆動モータ２５１，２５２，２５３が個別的に駆動する。これにより操作ワイヤ２３１，２３２，２３３は回動するプーリ２５５によってそれぞれ押し引き操作され、節輪２２１，２２２，２２３は個別的に独立して上下左右方向へ回動し、各関節部は屈曲する。つまり湾曲部２１１は湾曲する。    
このように湾曲操作部２０４は、駆動制御部２０３を操作し、湾曲部２１１を湾曲操作する操作入力装置である。
【００９６】
処置具先端移動制御装置３００は、図１と図５に示すように湾曲部２１１と先端部２１２を有する内視鏡用処置具２００と、駆動制御部（湾曲駆動部）２０３と、処置具操作部２０１と、湾曲操作部（操作入力装置）２０４と、を備え、ジョイスティック２０５の操作に従う動きにより先端部２１２を所望する位置に移動操作可能である。つまり処置具先端移動制御装置３００は、マニピュレータ（マスタスレーブ）型の電動式の内視鏡用処置具２００を構成している。なお、内視鏡用処置具２００を動かす制御が設定された後に、術者等によりジョイスティック２０５が操作された場合には、ジョイスティック２０５の操作指示が優先される。
【００９７】
なお駆動モータ２５１，２５２，２５３には、回転数を計測する図示しないエンコーダが取り付けられている。エンコーダは、回転数に対応した信号を生成し、モータドライバ２５８ｂに送信して駆動モータ２５１，２５２，２５３に対するフィードバック制御を行う。
【００９８】
先端部２１２には、患部等を処置する処置具本体部である把持鉗子２１３が設けられている。把持鉗子２１３は、挿入部２０２内を挿通する操作ワイヤ２３４によって図５と図６に示す上下に開閉する把持部材２１３ａ，２１３ｂを有している。先端部２１２には、把持鉗子２１３に限らず、例えば、高周波ナイフまたは高周波凝固子等の処置具が設けられていても良い。
【００９９】
なお患部を処置する内視鏡用処置具２００は、多関節機構を有さずに、先端に例えば把持鉗子２１３や高周波ナイフや高周波凝固子等の処置具等のみを有していてもよい。
【０１００】
次に本実施形態の動作方法について詳細に説明する。  
まず内視鏡用処置具２００を内視鏡２内に挿入させ、患部を処置させるまでの動作について説明する。  
図２Ａに示すように挿脱部６１が挿入口４０に挿入されると、ガイドチューブ５０と挿入口４０が接続する。その際、防止部６４が端面４０ａに当接することで、ガイドチューブ５０は、防止部６４によって、挿入口４０を介して処置具挿通チャンネル３９にまで挿入されることを防止される。
【０１０１】
また図２Ａに示すように防止部６４が端面４０ａに当接するまで、挿脱部６１が内視鏡用処置具２００の挿入方向に沿って内視鏡２の先端側に移動すると、ラック６６も移動することになる。これによりラック６６と噛み合うピニオン７２が回転する。また回転するピニオン７２は、ラック９１ｂと噛み合う。よってプーリ台９１は、図２Ａに示すように内視鏡用処置具２００の挿入方向に沿って内視鏡２の基端側に移動する。プーリ台９１が移動することにより、プーリ９２も移動し、操作ワイヤ５４が弛緩状態から緊張状態に変化する。
【０１０２】
つまり挿脱部６１が挿入口４０に挿入されることで、歯車機構５２ａが駆動し（ラック６６とピニオン７２とラック９１ｂは、挿脱部６１によって被動し）、図２Ａに示すようにプーリ台９１（プーリ９２）が歯車機構５２ａによって内視鏡２の基端側に移動する。そして操作ワイヤ５４は図２Ａに示すように緊張し、湾曲部１２も緊張することとなる。これにより湾曲部１２は、左右湾曲操作ノブ３２ａによって操作可能となる。
【０１０３】
左右湾曲操作ノブ３２ａが操作されると、図２Ｂと図４にて１点鎖線で示すように湾曲部１２は略直線状態（非湾曲状態）に湾曲する。内視鏡用処置具２００はガイドチューブ５０を経由して処置具挿通チャンネル３９に挿入され、先端開口部３９ａ近傍にまで押し込まれる。
【０１０４】
この状態で挿入部１０は体腔内に挿入され、体腔内が観察窓１４を介して観察されつつ、湾曲部１２が左右湾曲操作ノブ３２ａに操作されて図４中に実線または二点鎖線で示すように湾曲され、挿入部１０は患部にまで押し込まれる。
【０１０５】
湾曲部１２が湾曲することにより、内視鏡用処置具２００が先端開口部３９ａから突出する。この状態でジョイスティック２０５が操作されると、駆動モータ２５１，２５２，２５３はジョイスティック２０５に対応して個別的に駆動する。これにより操作ワイヤ２３１，２３２，２３３は、回動するプーリ２５５によって押し引き操作され、節輪２２１，２２２，２３３は個別的に独立して上下左右方向へ回動する。つまり各関節部は屈曲し、湾曲部２１１は湾曲する。
【０１０６】
また処置具操作部２０１が操作されと、駆動モータ２５４が駆動する。これにより操作ワイヤ２３４は、回動するプーリ２５５によって押し引き操作される。よって把持鉗子２１３が操作され、患部が処置される。
【０１０７】
次に内視鏡用処置具２００を内視鏡２から抜去する動作について説明する。  
図３Ａに示すようにガイドチューブ５０が後退すると、挿脱部６１が挿入口４０から抜去される。その際、挿脱部６１と共に内視鏡用処置具２００の挿入方向に沿って内視鏡２の基端側にラック６６が移動することにより、ラック６６と噛み合うピニオン７２が回転する。また回転するピニオン７２は、ラック９１ｂと噛み合う。これによりプーリ台９１は、図２Ａに示す状態から図３Ａに示すように内視鏡用処置具２００の挿入方向に沿って内視鏡２の先端側に移動する。プーリ台９１が移動することにより、プーリ９２も図３Ａに示すように内視鏡２の先端側に移動し、操作ワイヤ５４が緊張状態から弛緩状態に変化し、湾曲部１２も緊張状態から弛緩状態に変化する。
【０１０８】
つまり挿脱部６１が挿入口４０から抜去されることで、歯車機構５２ａが駆動し（ラック６６とピニオン７２とラック９１ｂは、挿脱部６１によって被動し）、図３Ａに示すようにプーリ台９１（プーリ９２）が歯車機構５２ａによって内視鏡２の先端側に移動する。そして図２Ａに示すように緊張した操作ワイヤ５４は、図３Ａに示すように弛緩することとなる。これにより湾曲部１２は図３Ｂに示すように弛緩することとなり、内視鏡用処置具２００は抜去可能となる。
【０１０９】
また挿脱部６１が挿入口４０から抜去された際に、先端開口部３９ａから突出している内視鏡用処置具２００（例えば先端部２１２）が本体部６２の長さＬ３だけ後退すると、内視鏡２の先端（先端面１３ａ）から駆動制御部２０３までの長さは、長さＬ３だけ伸びる。なお本体部６２の長さＬ３は、先端部２１２から第３回動軸部２２７近傍までの長さよりも長いことが好適である。
【０１１０】
そして上記したように挿脱部６１が挿入口４０から抜去され、内視鏡用処置具２００が後退すると、内視鏡用処置具２００は、図３Ｂに示すように本体部６２の長さＬ３だけ内視鏡２の基端側に向けて、挿入部１０（処置具挿通チャンネル３９）内に引き込まれる（収納される）。詳細には、把持鉗子２１３は、本体部６２の長さＬ３だけ挿入部１０（処置具挿通チャンネル３９）に引き込まれる（収納される）。
【０１１１】
これにより挿脱部６１が挿入口４０から抜去され、湾曲部１２が弛緩する際、内視鏡用処置具２００（把持鉗子２１３）と体腔の接触が防止され、体腔を傷つけることが防止される。
【０１１２】
また図３Ｂに示すように湾曲部１２が弛緩すると、内視鏡用処置具２００は処置具挿通チャンネル３９と挿入口４０とガイドチューブ５０から抜去され、内視鏡２から抜去される。
【０１１３】
このように本実施形態は、内視鏡用処置具２００を内視鏡２から抜去する際、図３Ａに示すように挿脱部６１を挿入口４０から抜去し、ラック６６とピニオン７２とラック９１ｂによってプーリ台９１とプーリ９２を内視鏡２の先端側に移動させ、操作ワイヤ５４を弛緩させ、図３Ｂに示すように湾曲部１２を弛緩させ、湾曲部１２を弛緩状態とする。これにより本実施形態は、挿脱部６１を挿入口４０から抜去するのみで、湾曲部１２が湾曲している状態に比べて操作力量を軽減した状態で内視鏡用処置具２００を内視鏡２から容易に抜去することができる。
【０１１４】
また本実施形態は、内視鏡用処置具２００を内視鏡２から抜去する際、挿脱部６１を挿入口４０から抜去することで、図２Ｂに示すように緊張状態の湾曲部１２を図３Ｂに示すように弛緩状態に変形することができる。よって本実施形態は、湾曲部１２が湾曲していても、つまり湾曲部１２の湾曲角度に影響されることなく、内視鏡用処置具２００を内視鏡２から容易に抜去することができる。
【０１１５】
また本実施形態において、ガイドチューブ５０（挿脱部６１）を挿入口４０から取り外す動作が行われると、この動作に連動して上述した湾曲部１２を弛緩する動作が行われる。よって本実施形態は、内視鏡用処置具２００を内視鏡２から抜去する手間を簡略化でき、短時間に抜去することができる。
【０１１６】
また本実施形態は、ガイドチューブ５０を挿入口４０から抜去することで、図３Ｂに示すように内視鏡用処置具２００を挿入部１０内に収納することができる。よって本実施形態は、内視鏡用処置具２００が内視鏡２から抜去される際に、湾曲部１２が意図しない方向に弛んでも、内視鏡用処置具２００によって体腔内が傷つけられることを防止できる。
【０１１７】
また本実施形態は、防止部６４によってガイドチューブ５０を処置具挿通チャンネル３９にまで挿入することを防止することができる。また本実施形態は、防止部６４を端面４０ａに当接させることで、操作ワイヤ５４が緊張し、湾曲部１２を上下湾曲操作ノブ３２ｂによって操作可能となる。よって本実施形態は、防止部６４を端面４０ａに当接させることで、防止部６４を、湾曲部１２を操作可能とする指標とすることができる。
【０１１８】
また長さＬ１は、長さＬ２よりも長い。よって本実施形態は、ラック９１ｂがピニオン７２から抜け落ちることを防止することができる。
【０１１９】
次に本発明に係る第２の実施形態について図８Ａと図８Ｂを参照して説明する。前述した第１の実施形態と同一部位については同符合を付し、その詳細な説明は省略する。  
プーリ台９１とプーリ９２は、第１の実施形態において歯車機構５２ａによって移動したが、これに限定する必要はない。  
本実施形態における駆動機構７０は、挿入口４０に対して挿脱される挿脱部６１に連動して内視鏡用処置具２００の挿入方向に沿って移動可能な支持板７４を有している。  
また本実施形態における調整部９０は、プーリ９２と、挿入口４０に対して挿脱される挿脱部６１に応じてプーリ９２と支持板７４のいずれか一方を内視鏡２の基端側に引っ張る例えば引張バネといった引張部９３を有している。また本実施形態における調整部９０は、第１の実施形態と同様に挿入口４０の近傍における操作部３０内に配置され、内視鏡用処置具２００の挿入方向に沿って移動することで湾曲部１２の弛張状態を所望に調整する。
【０１２０】
挿脱部６１は、挿入口４０に挿入された際、本体部６２の先端６７の一部６８にて支持板７４の一端７４ａを押圧する。一部６８は、例えば挿脱部６１の肉厚である。
【０１２１】
支持板７４は、挿入口４０に挿入された挿脱部６１によって支持板７４の一端７４ａを内視鏡２の先端側に押圧されることで、内視鏡２の先端側に移動し、内視鏡２の先端側に配置される。また支持板７４は、挿脱部６１が一端７４ａから離れ、挿脱部６１が挿入口４０から抜去されることで、引張部９３によって内視鏡２の基端側に引っ張られ、内視鏡２の基端側に配置される。
【０１２２】
引張部９３は、一端９３ａにて支持板７４の他端７４ｂと接続し、静滑車５５を介して他端９３ｂにてプーリ９２と接続し、プーリ９２を有することとなる。  
引張部９３の引張力は、操作ワイヤ５４の引張力よりも強い。図８Ａに示すように挿脱部６１が挿入口４０に挿入され一端７４ａを押圧した際、引張部９３はプーリ９２を内視鏡２の基端側に引っ張る。また図８Ｂに示すように挿脱部６１が一端７４ａから離れ挿入口４０から抜去された際、引張部９３は他端７４ｂを介して支持板７４を内視鏡２の基端側に引っ張る。この状態における引張部９３は、自然長である。
【０１２３】
図８Ａに示すように引張部９３は、プーリ９２を内視鏡２の基端側に引っ張ると、プーリ９２を介して操作ワイヤ５４を緊張させ、湾曲部１２を緊張させる。このとき、プーリ９２は、操作ワイヤ５４の引張力によって内視鏡２の先端側に引っ張られることとなる。しかしながら上述したように引張部９３の引張力は操作ワイヤ５４の引張力よりも強い。よって図８Ａに示すように操作ワイヤ５４が張られている状態では、プーリ９２は内視鏡２の基端側に配置されることとなる。
【０１２４】
また図８Ｂに示すように引張部９３は、支持板７４を内視鏡２の基端側に引っ張り、自然長に戻る。このときプーリ９２は、操作ワイヤ５４の引張力によって、内視鏡２の先端側に引っ張られ、内視鏡２の先端側に移動する。これにより引張部９３は、プーリ９２を介して操作ワイヤ５４を弛緩させ、湾曲部１２を弛緩させる。
【０１２５】
このように引張部９３は、移動する支持板７４に応じて操作ワイヤ５４を引っ張り、操作ワイヤ５４を弛張させ、湾曲部１２を弛張させる。なお図８Ａと図８Ｂにおいてプーリ９２は、支持板７４の移動方向とは逆方向に引っ張られ、移動することとなる。
【０１２６】
支持板７４と引張部９３は、挿入口４０に対して挿脱される挿脱部６１に連動して、調整部９０におけるプーリ９２を内視鏡用処置具２００の挿入方向に沿って引張移動させる。調整部９０における引張部９３は、プーリ９２を内視鏡用処置具２００の挿入方向に沿って移動させることで、図８Ａと図８Ｂに示すように操作ワイヤ５４を弛張させ、図２Ｂと図３Ｂに示すように湾曲部１２を弛張させる、つまり湾曲部１２の弛張状態を所望に調整する。
【０１２７】
また支持板７４と引張部９３は、挿入口４０に対する挿脱部６１の挿脱に連動して引張移動することで、プーリ９２を内視鏡用処置具２００の挿入方向に沿って引張移動させて、操作ワイヤ５４を弛張させる引張移動機構５２ｂを形成する。言い換えると弛張機構５２は、支持板７４と引張部９３によって形成され、挿入口４０に対して挿脱される挿脱部６１に連動して駆動し、操作ワイヤ５４を弛張させる引張移動機構５２ｂを有している。
【０１２８】
本実施形態におけるプーリ９２は、引張部９３と接続し、操作ワイヤ５４の基端と接続し、引張部９３の引っ張りに応じて上述したように内視鏡用処置具２００の挿入方向に沿って移動する。
【０１２９】
次に本実施形態における動作方法について説明する。  
まず内視鏡用処置具２００を内視鏡２内に挿入させ、患部を処置させるまでの動作について説明する。  
挿脱部６１が挿入口４０に挿入され、ガイドチューブ５０が防止部６４によって処置具挿通チャンネル３９にまで挿入されることを防止されるまでの動作は、第１の実施形態と同様である。
【０１３０】
その際、図８Ａに示すように挿脱部６１は、一端７４ａを押圧し、本体部６２の長さＬ３だけ、支持板７４を内視鏡用処置具２００の挿入方向に沿って内視鏡２の先端側に移動させる。これによりプーリ９２は、引張部９３によって図８Ａに示すように内視鏡用処置具２００の挿入方向に沿って内視鏡２の基端側に引っ張られる。よって操作ワイヤ５４が弛緩状態から緊張状態に変化する。
【０１３１】
つまり挿脱部６１が挿入口４０に挿入されることで、図８Ａに示すようにプーリ９２が引張移動機構５２ｂによって内視鏡２の基端側に引っ張られる。そして操作ワイヤ５４は図８Ａに示すように緊張し、湾曲部１２も緊張することとなる。これにより湾曲部１２は、左右湾曲操作ノブ３２ａによって操作可能となる。
【０１３２】
この後、左右湾曲操作ノブ３２ａによって湾曲部１２は直線状態になり、内視鏡用処置具２００はガイドチューブ５０を経由して処置具挿通チャンネル３９に挿入され、把持鉗子２１３が操作され、患部が処置されるまでの動作は、第１の実施形態と略同様であるため、詳細な説明は省略する。
【０１３３】
次に内視鏡用処置具２００を内視鏡２から抜去する動作について説明する。  
図８Ｂに示すようにガイドチューブ５０が後退すると、挿脱部６１が挿入口４０から抜去される。その際、挿脱部６１が内視鏡用処置具２００の挿入方向に沿って内視鏡２の基端側に移動すると、一端７４ａに対する挿脱部６１の押圧が解放される。これにより支持板７４は、引張部９３の引張力によって内視鏡２の基端側に移動する。そして引張部９３は、自然長に戻る。
【０１３４】
またプーリ９２は、操作ワイヤ５４の引張力によって内視鏡２の先端側に引っ張られ、内視鏡２の先端側に移動する。これより操作ワイヤ５４が緊張状態から弛緩状態に変化し、湾曲部１２も緊張状態から弛緩状態に変化する。
【０１３５】
つまり挿脱部６１が挿入口４０から抜去されることで、図８Ｂに示すようにプーリ９２は、操作ワイヤ５４の引張力によって、内視鏡２の先端側に移動する。そして図８Ａに示すように緊張した操作ワイヤ５４は、図８Ｂに示すように弛緩することとなる。これにより湾曲部１２は図３Ｂに示すように弛緩することとなり、内視鏡用処置具２００は抜去可能となる。
【０１３６】
この後の動作は、第１の実施形態と略同様であるため、詳細な説明は省略する。
【０１３７】
このように本実施形態は、引張移動機構５２ｂによって第１の実施形態と同様の効果を得ることができる。
【０１３８】
また本実施形態は、プーリ９２を引張部９３によって内視鏡２の基端側に引っ張るため、緊張状態の操作ワイヤ５４の張力を常に保持することができる。よって本実施形態は、湾曲部１２の操作性を維持することができる。
【０１３９】
なお本実施形態は、静滑車５５の数は限定される必要はなく単数でも複数でもよい。
【０１４０】
また図８Ｃに示すように支持板７４は、内視鏡用処置具２００の挿入方向における支持板７４の移動をガイドするガイド部７４ｃと、一端７４ａに設けられ、内視鏡用処置具２００が支持板７４の厚み方向（内視鏡用処置具２００の挿入方向）に貫通可能な第１の貫通口７４ｄと、を有していても良い。
【０１４１】
ガイド部７４ｃは、例えば円柱形状を有している。  
第１の貫通口７４ｄの大きさは、本体部６２の大きさ（内視鏡用処置具２００が挿通する挿脱部６１の図示しない径）よりも小さい。
【０１４２】
これにより挿脱部６１における先端６７全体は、第１の貫通口７４ｄの周縁部７４ｅに当接することができ、挿脱部６１は支持板７４をより確実に押圧することができ、ガイド部７４ｃによって内視鏡用処置具２００の挿入方向に高精度に移動することができる。
【０１４３】
また支持板７４は、他端７４ｂにて、引張部９３とプーリ９２と操作ワイヤ５４が内視鏡用処置具２００の挿入方向に貫通可能な第２の貫通口７４ｆを有している。この第２の貫通口７４ｆは、上述した図８Ａと図８Ｂにおける支持板７４に設けられているが、簡略化のため図示を省略している。
【０１４４】
次に本発明に係る第３の実施形態について図９Ａと図９Ｂを参照して説明する。前述した第１の実施形態と同一部位については同符合を付し、その詳細な説明は省略する。  
プーリ９２は、第１の実施形態においてプーリ台９１を介して歯車機構５２ａによって移動したが、これに限定する必要はない。
【０１４５】
本実施形態における駆動機構７０は、挿入口４０に対して挿脱される挿脱部６１によって内視鏡用処置具２００の挿入方向（挿脱部６１の挿脱方向）に直交する軸Ａの周方向に回動可能な例えばピンやシャフトといった第１の回動部７６を有する。
【０１４６】
第１の回動部７６は、第１の回動部７６の一端７６ａを中心に軸Ａの周方向に回動可能に、挿入口４０近傍に固定配置されている。また第１の回動部７６は、図９Ｂに示すように挿脱部６１が挿入口４０から抜去された際に、第１の回動部７６の他端７６ｂを、挿脱部６１によって押圧される前の配置位置である内視鏡２の基端側に復元（移動）させるねじりバネといった復元部７６ｃを有している。
【０１４７】
他端７６ｂは、図９Ａに示すように挿脱部６１が挿入口４０に挿入された際、挿脱部６１によって押圧され、内視鏡２の先端側に向かって側面６５側に移動する。これにより第１の回動部７６は、一端７６ａを中心に軸Ａの周方向に沿って反時計回りに回動する。  
また他端７６ｂは、図９Ｂに示すように挿脱部６１が挿入口４０から抜去された際、復元部７６ｃの復元力によって内視鏡２の基端側に移動する。これにより第１の回動部７６は、一端７６ａを中心に軸Ａの周方向に沿って時計回りに回動する。
【０１４８】
このように挿脱部６１が挿入口４０に挿脱された際、第１の回動部７６は一端７６ａを中心に軸Ａの周方向に回動する。
【０１４９】
また本実施形態における調整部９０は、第１の実施形態と同様に挿入口４０の近傍における操作部３０内に配置される。また本実施形態における調整部９０は、内視鏡用処置具２００の挿入方向に沿って移動せずに湾曲部１２の弛張状態を所望に調整する。調整部９０は、プーリ９２と第２の回動部９４を有している。
【０１５０】
プーリ９２は、配置位置を固定されている。  
第２の回動部９４は、回動する第１の回動部７６に対応（連動）し、中端９４ａを中心に軸Ａの周方向に回動し、操作ワイヤ５４を弛張させる例えばピンである。中端９４ａは、他端７６ｂと軸Ａにて同軸である。第２の回動部９４は、挿入口４０近傍、且つ操作ワイヤ５４の間に回動可能に固定配置されている。
【０１５１】
図９Ａに示すように第１の回動部７６が例えば反時計回りに回動した際に回動する第２の回動部９４は、両端９４ｂを操作ワイヤ５４に当接させ、両端９４ｂによって操作ワイヤ５４の間を押し広げ、操作ワイヤ５４を緊張させ、湾曲部１２を緊張させる。  
また図９Ｂに示すように第１の回動部７６が例えば時計回りに回動した際に回動する第２の回動部９４は、両端９４ｂを操作ワイヤ５４から離し、操作ワイヤ５４を弛緩させ、湾曲部１２を弛緩させる。
【０１５２】
両端９４ｂ間の長さは、挿脱部６１が挿入口４０から抜去され、両端９４ｂが操作ワイヤ５４から離れた際に、内視鏡用処置具２００が内視鏡２から抜去できるように弛緩させる弛緩角度を湾曲部１２が保持できる長さである。
【０１５３】
このように駆動機構７０における第１の回動部７６は、挿入口４０に対する挿脱部６１の挿脱に連動して回動し、調整部９０における第２の回動部９４を回動させる。調整部９０における第２の回動部９４は、図９Ａと図９Ｂに示すように回動することで、プーリ９２の配置位置を固定させた状態で移動させずに、操作ワイヤ５４を弛張させ、図２Ｂと図３Ｂに示すように湾曲部１２を弛張させる、つまり湾曲部１２の弛張状態を所望に調整する。
【０１５４】
また第１の回動部７６と第２の回動部９４は、挿入口４０に対して挿脱される挿脱部６１に連動して回動することで、プーリ９２を移動させずに操作ワイヤ５４を弛張させる回動機構５２ｃを形成する。言い換えると弛張機構５２は、第１の回動部７６と第２の回動部９４によって形成され、挿入口４０に対して挿脱される挿脱部６１に連動して駆動し、操作ワイヤ５４を弛張させる回動機構５２ｃを有している。
【０１５５】
次に本実施形態における動作方法について説明する。  
まず内視鏡用処置具２００を内視鏡２内に挿入させ、患部を処置させるまでの動作について説明する。  
挿脱部６１が挿入口４０に挿入され、ガイドチューブ５０が防止部６４によって処置具挿通チャンネル３９にまで挿入されることを防止されるまでの動作は、第１の実施形態と同様である。
【０１５６】
その際、図９Ａに示すように挿脱部６１は他端７６ｂを押圧する。これにより他端７６ｂは内視鏡２の先端側に向かって側面６５側に移動し、第１の回動部７６は一端７６ａを中心に軸Ａの周方向に沿って反時計回りに回動する。第２の回動部９４は、回動する第１の回動部７６に連動して中端９４ａを中心に軸Ａの周方向に回動し、両端９４ｂを操作ワイヤ５４に当接させ、図９Ａに示すように両端９４ｂによって操作ワイヤ５４を押し広げる。これにより操作ワイヤ５４が弛緩状態から緊張状態に変化し、湾曲部１２も弛緩状態から緊張状態に変化する。
【０１５７】
つまり挿脱部６１が挿入口４０に挿入されることで、図９Ａに示すようにプーリ９２の配置位置が固定されたままで、操作ワイヤ５４は回動機構５２ｃによって緊張することとなる。これにより湾曲部１２も緊張することとなり、湾曲部１２は左右湾曲操作ノブ３２ａによって操作可能となる。
【０１５８】
この後、左右湾曲操作ノブ３２ａによって湾曲部１２は直線状態になり、内視鏡用処置具２００はガイドチューブ５０を経由して処置具挿通チャンネル３９に挿入され、把持鉗子２１３が操作され、患部が処置されるまでの動作は、第１の実施形態と略同様であるため、詳細な説明は省略する。
【０１５９】
次に内視鏡用処置具２００を内視鏡２から抜去する動作について説明する。  
図９Ｂに示すようにガイドチューブ５０が後退すると、挿脱部６１が挿入口４０から抜去される。その際、挿脱部６１が内視鏡用処置具２００の挿入方向に沿って内視鏡２の基端側に移動すると、他端７６ｂに対する挿脱部６１の押圧が解放される。これにより図９Ｂに示すように他端７６ｂは復元部７６ｃの復元力によって内視鏡２の基端側に移動し、第１の回動部７６は一端７６ａを中心に軸Ａの周方向に沿って時計回りに回動する。
【０１６０】
第２の回動部９４は、第１の回動部７６の回動に連動して中端９４ａを中心に軸Ａの周方向に回動し、両端９４ｂを操作ワイヤ５４から離す。これにより操作ワイヤ５４は、緊張状態から弛緩状態に変化し、湾曲部１２も緊張状態から弛緩状態に変化する。
【０１６１】
つまり図９Ｂに示すように挿脱部６１が挿入口４０から抜去されることで、図９Ａと図９Ｂに示すようにプーリ９２の配置位置が固定されたままで、図９Ａに示すように緊張した操作ワイヤ５４は回動機構５２ｃによって図９Ｂに示すように弛緩することとなる。これにより湾曲部１２は図３Ｂに示すように弛緩することとなり、内視鏡用処置具２００は抜去可能となる。
【０１６２】
この後の動作は、第１の実施形態と略同様であるため、詳細な説明は省略する。
【０１６３】
このように本実施形態は、回動機構５２ｃによって第１の実施形態と同様の効果を得ることができる。
【０１６４】
また本実施形態は、回動機構５２ｃによって操作ワイヤ５４を弛張させるため、プーリ９２を操作ワイヤ５４の弛張のために、移動させる必要がない。よって本実施形態は、プーリ９２を移動させるスペースを不用とするために、小型にすることができる。
【０１６５】
次に本発明に係る第４の実施形態について図１０Ａと図１０Ｂと図１０Ｃを参照して説明する。前述した第１の実施形態と同一部位については同符合を付し、その詳細な説明は省略する。  
本実施形態の一端５０ａには、図１０Ａと図１０Ｂに示すように挿脱部６１が設けられていない。挿入口４０には、一端５０ａが自在に接続し、挿入口４０に対して内視鏡用処置具２００の挿入方向に移動し、挿入口４０からの抜けを防止されている移動部５７が予め配置されている。
【０１６６】
ガイド部材であるガイドチューブ５０は、図１０Ａに示すように一端５０ａにて移動部５７を押し当てる押し当て部５０ｃを有している。言い換えると、一端５０ａには、一端５０ａが移動部５７を押し当てるための押し当て部５０ｃが配置されている。押し当て部５０ｃは、一端５０ａの外周の全周にわたって成型される突起部である。なお突起部は、少なくとも外周の一部に成型されていても良い。押し当て部５０ｃは、移動部５７の基端部６３に押し当たり（当接し、突き当たり）、基端部６３を押圧することで、移動部５７を挿入口４０に押し当てる。また押し当て部５０ｃは、一端５０ａが移動部５７に挿入され、例えば処置具挿通チャンネル３９にまで挿入されることを防止する防止部を兼ねる。また押し当て部５０ｃは、一端５０ａが移動部５７から離れる際、移動部５７から離れる。
【０１６７】
なお一端５０ａは、押し当て部５０ｃを介して基端部６３に対して挿脱自在であってもよい。また押し当て部５０ｃは、移動部５７と自在に接続する接続部であっても良い。
【０１６８】
また本実施形態において、内視鏡システム１は、図１０Ａに示すように移動部５７が挿入口４０から抜去されることを防止する防止機構５８を有している。この防止機構５８は、側面６５に形成される凹部５８ａ，５８ｂと、移動部５７が内視鏡用処置具２００の挿入方向に沿って移動した際に、凹部５８ａ，５８ｂのいずれかに嵌入し、移動部５７が挿入口４０から抜去されることを防止する防止部５８ｃを有している。
【０１６９】
凹部５８ａ，５８ｂは、側面６５においてラック６６とは異なる位置に形成される。凹部５８ａ，５８ｂは、側面６５にて凹設されており、段差部である。また凹部５８ａ，５８ｂは、内視鏡用処置具２００の挿入方向に沿って同一直線状に配置されており、凹部５８ａは、内視鏡２の基端側に配置され、防止部６４が端面４０ａに当接した際に、防止部５８ｃが嵌入する位置に配置されている。凹部５８ｂは、内視鏡２の先端側に配置される。
【０１７０】
防止部５８ｃは、例えば弾性力を有する板バネであり、本実施形態の処置具挿入部３８に形成される開口部３８ａに配置されている。防止部５８ｃは、防止部５８の基端５９ａにて、開口部３８ａの上方であり処置具挿入部３８の肉厚部分に固定されている。また一端５９ａと連設する防止部５８ｃの中端５９ｂは、一端５９ａとの連設部にて側面６５に向かって形成されるテーパ形状を有している。また中端５９は、凹部５８ａ，５８ｂに嵌入される。中端５９と連設している防止部５８ｃの先端５９ｃには、中端５９が凹部５８ａ，５８ｂに嵌入された際、凹部５８ａ，５８ｂに当接し、凹部５８ａ，５８ｂと略同じ形状を有する段差部５９ｄが形成されている。また先端５９ｃには、つまみ５９ｅが配置されている。
【０１７１】
移動部５７は、挿脱部６１と略同様であり、つまり挿脱部６１と略同様にラック６６と防止部６４を有し、例えば樹脂などによって形成される。移動部５７の大きさ（例えば外径）は、挿入口４０の大きさ（例えば内径）と略同様である。
【０１７２】
一端５０ａが移動部５７に接続する際、移動部５７の先端５７ａが挿入口４０近傍に配置され、防止部６４が端面４０ａから離れることとなる。
【０１７３】
本実施形態における弛張機構５２は、移動部５７と挿入口４０の近傍に配置されることとなる。
【０１７４】
本実施形態における調整部９０は、第１の実施形態と同様に、プーリ台９１と、プーリ９２を有している。本実施形態における駆動機構７０は、移動部５７と、ラック６６と、ピニオン７２と、ラック９１ｂを有している。
【０１７５】
次に本実施形態の動作方法について詳細に説明する。  
まず内視鏡用処置具２００を内視鏡２内に挿入させ、患部を処置させるまでの動作について説明する。  
図１０Ａに示すように先端５７ａが挿入口４０近傍に配置され、防止部６４が挿入口４０から離れている状態において、一端５０ａが押し当て部５０ｃによって移動部５７に押し当たる。移動部５７は、一端５０ａ（押し当て部５０ｃ）に押し込まれ挿入口４０に挿入される。その際、図１０Ｂに示すように防止部６４が端面４０ａに当接することで、移動部５７は、防止部６４によって、挿入口４０を介して処置具挿通チャンネル３９にまで挿入されることを防止される。
【０１７６】
またこの時、防止部５８ｃは、つまみ５９ｅの操作によって外側へ押し広げられる。移動部５７は内視鏡用処置具２００の挿入方向に沿って内視鏡２の先端側に移動し、防止部５８ｃが凹部５８ｂよりも内視鏡２の基端側に配置され、凹部５８ａが防止部５８ｃに近接すると、つまみ５９ｅが手放される。
【０１７７】
防止部５８ｃは、テーパ形状を有している。よって移動部５７が移動して、防止部５８ｃが凹部５８ｂよりも内視鏡２の基端側に配置された際に、つまみ５９ｅが手放されても、防止部５８ｅは弾性力とテーパ形状と側面６５によって外側に外側へ押し広げられる。よって防止部５８ｅは側面６５を摺動可能となり、移動部５７は内視鏡２の基端側に配置可能である。
【０１７８】
そして凹部５８ａには、一端５９ａを中心に弾性力によって回動する中端５９が嵌入する。このときテーパ形状の中端５９ｂと段差部５９ｄが凹部５８ａに当接する。よって移動部５７は、挿入された際、内視鏡用処置具２００の挿入方向に移動することを防止され、挿入口４０から抜去されることを防止される。つまり移動部５７は、防止機構５８によって挿入口４０から抜去されることを防止される。
【０１７９】
また上述したように、移動部５７が内視鏡用処置具２００の挿入方向に沿って内視鏡２の先端側に移動すると、図１０Ｂに示すようにラック６６も移動することになる。これにより第１の実施形態と同様にラック６６と噛み合うピニオン７２が回転する。また回転するピニオン７２は、ラック９１ｂと噛み合う。よってプーリ台９１は、図１０Ｂに示すように内視鏡用処置具２００の挿入方向に沿って内視鏡２の基端側に移動する。プーリ台９１が移動することにより、プーリ９２も内視鏡２の基端側に移動し、操作ワイヤ５４が弛緩状態から緊張状態に変化する。
【０１８０】
つまり移動部５７が挿入口４０に挿入されることで、歯車機構５２ａが駆動し（ラック６６とピニオン７２とラック９１ｂは、挿脱部６１によって被動し）、図１０Ｂに示すようにプーリ台９１（プーリ９２）が歯車機構５２ａによって内視鏡２の基端側に移動する。そして操作ワイヤ５４は図１０Ｂに示すように緊張し、湾曲部１２も緊張することとなる。これにより湾曲部１２は、左右湾曲操作ノブ３２ａによって操作可能となる。
【０１８１】
この後、左右湾曲操作ノブ３２ａによって湾曲部１２は直線状態になり、内視鏡用処置具２００はガイドチューブ５０を経由して処置具挿通チャンネル３９に挿入され、把持鉗子２１３が操作され、患部が処置されるまでの動作は、第１の実施形態と略同様であるため、詳細な説明は省略する。
【０１８２】
次に内視鏡用処置具２００を内視鏡２から抜去する動作について説明する。  
防止部５８ｃは、つまみ５９ｅの操作によって外側へ押し広げられる。次に移動部５７は内視鏡用処置具２００の挿入方向に沿って内視鏡２の基端側に移動し、防止部５８ｃが凹部５８ａよりも内視鏡２の基端側に配置され、凹部５８ｂが防止部５８ｃに近接すると、つまみ５９ｅが手放される。凹部５８ｂには、一端５９ａを中心に弾性力によって回動する中端５９が嵌入する。このときテーパ形状の中端５９ｂと段差部５９ｄが凹部５８ｂに当接する。よって移動部５７は、内視鏡用処置具２００の挿入方向に移動することを防止され、挿入口４０から抜去されることを防止される。つまり移動部５７は、防止機構５８によって挿入口４０から抜去されることを防止される。
【０１８３】
これにより図１０Ｃに示すように移動部５７が内視鏡用処置具２００の挿入方向に沿って内視鏡２の基端側に移動する。そして移動部５７は、上述した防止機構５８によって挿入口４０からの抜去を防止される。
【０１８４】
移動部５７が内視鏡２の基端側に移動すると、ラック６６も移動し、ラック６６と噛み合うピニオン７２が回転する。また回転するピニオン７２は、ラック９１ｂと噛み合う。これによりプーリ台９１は、図１０Ｂに示す状態から図１０Ｃに示すように内視鏡用処置具２００の挿入方向に沿って内視鏡２の先端側に移動する。プーリ台９１が移動することにより、プーリ９２も図１０Ｃに示すように内視鏡２の先端側に移動し、操作ワイヤ５４が緊張状態から弛緩状態に変化し、湾曲部１２も緊張状態から弛緩状態に変化する。
【０１８５】
つまり移動部５７が内視鏡２の基端側に移動することで、歯車機構５２ａが駆動し（ラック６６とピニオン７２とラック９１ｂは、挿脱部６１によって被動し）、図１０Ａと図１０Ｃに示すようにプーリ台９１（プーリ９２）が歯車機構５２ａによって内視鏡２の先端側に移動する。そして図１０Ｂに示すように緊張した操作ワイヤ５４は、図１０Ｃに示すように弛緩することとなる。これにより湾曲部１２は図３Ｂに示すように弛緩することとなり、内視鏡用処置具２００は抜去可能となる。
【０１８６】
この後の動作は、第１の実施形態と略同様であるため、詳細な説明は省略する。
【０１８７】
なお図１０Ａに示すように押し当て部５０ｃが移動部５７から離れることで、一端５０ａが移動部５７から離れる。また移動部５７は防止機構５８によって挿入口４０からの抜去を防止されている。
【０１８８】
このように本実施形態は、第１の実施形態と同様の効果を得ることができる。
【０１８９】
また本実施形態は、内視鏡２（挿入口４０）側に挿脱部６１と同様の構成を有する移動部５７を、防止機構５８によって挿入口４０からの抜けを防止した状態で予め配置している。  
よって本実施形態は、ガイドチューブ５０を用いなくても、例えば挿入部における可撓管部に押し当て部５０ｃを有する処置具や、例えば可撓管部２１０にて押し当て部５０ｃを有し、また多関節機構を有する内視鏡用処置具２００でも第１の実施形態と同様の効果を得ることができる。
【０１９０】
つまり本実施形態は、ガイドチューブ５０を用いなくても、処置具や多関節機構を有する内視鏡用処置具２００といった挿入口４０と処置具挿通チャンネル３９を介して内視鏡２に挿入される図１１Ａに示す挿入部材１０１でも、挿入口４０に挿入される際に、移動部５７を押し当てる押し当て部５０ｃを設けることで第１の実施形態と同様の効果を得ることができる。
【０１９１】
なお押し当て部５０ｃは、突起部に限定する必要はない。例えば図１１Ｂに示すように切り欠き部１０２を有する略Ｃ形状の弾性リング１０３であってもよい。この場合、弾性リング１０３は、切り欠き部１０２を介して挿入部材１０１に嵌め込まれる。例えば本実施形態の場合、弾性リング１０３は、図１１Ｃと図１１Ｄに示すように例えば一端５０ａに嵌め込まれることで、上記したように移動部５７を押し当て可能となる。
【０１９２】
また図１１Ｅに示すように、挿入部材１０１の外周の全周に渡りに溝１０４が形成されていても良い。このとき溝１０４の深さよりも厚みを有する上述した弾性リング１０３が図１１Ｆに示すように嵌め込まれることで、弾性リング１０３が移動部５７を押し当て可能となる。
【０１９３】
なお本実施形態は、歯車機構５２ａの代わりに第２の実施形態における引張移動機構５２ｂ、または第３の実施形態における回動機構５２ｃを用いても良い。  
なお上述した各実施形態において、図１２Ａに示すように湾曲部１２は、先端側の湾曲部１２ａと手元側の湾曲部１２ｂの２つにより構成され、内視鏡２を２段湾曲内視鏡１０５としてもよい。各実施形態は、２段湾曲内視鏡１０５が図１２Ｂに示すように湾曲部１２ａと湾曲部１２ｂにて２段にて湾曲していても、内視鏡用処置具２００を２段湾曲内視鏡１０５から容易に抜去することができる。
【０１９４】
また各実施形態は、内視鏡用処置具２００を内視鏡２としたが、これに限定する必要はなく、例えばオーバーチューブであっても、内視鏡用処置具２００を容易に抜去することができる。
【０１９５】
このように本発明は、上記実施形態と変形例そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【０１９６】
【図１】図１は、本発明の第１の実施形態に係る内視鏡システム内視鏡を概略的に示す斜視図である。
【図２Ａ】図２Ａは、挿入口における概略断面図であり、ガイドチューブが挿入口に挿入され、プーリ台とプーリが内視鏡の基端側に配置され、操作ワイヤが緊張している状態を示す図である。
【図２Ｂ】図２Ｂは、操作ワイヤが緊張した状態で湾曲操作された湾曲部を含む挿入部を示す図である。
【図３Ａ】図３Ａは、挿入口における概略断面図であり、ガイドチューブが挿入口から抜去され、プーリ台とプーリが内視鏡の先端側に配置され、操作ワイヤが弛緩している状態を示す図である。
【図３Ｂ】図３Ｂは、操作ワイヤが弛緩しているために、弛緩している湾曲部を含む挿入部を示す図である。
【図４】図４は、湾曲部の湾曲状態を示す図である。
【図５】図５は、内視鏡用処置具を含む処置具先端移動制御装置を概略的に示す斜視図である。
【図６】図６は、内視鏡用処置具の挿入部における先端部と湾曲部を示す斜視図である。
【図７Ａ】図７Ａは、図６中のＡ−Ａ矢視線で示す水平面で湾曲部を挿入部の長軸方向に沿って縦断した断面を上から見た断面図である。
【図７Ｂ】図７Ｂは、図６中のＢ−Ｂ矢視線で示す鉛直面で湾曲部を挿入部の長軸方向に沿って縦断した断面を左側から見た断面図である。
【図８Ａ】図８Ａは、本発明の第２の実施形態に係る挿入口における概略断面図であり、ガイドチューブが挿入口に挿入され、プーリが内視鏡の基端側に配置され、操作ワイヤが緊張している状態を示す図である。
【図８Ｂ】図８Ｂは、本発明の第２の実施形態に係る挿入口における概略断面図であり、ガイドチューブが挿入口から抜去され、プーリが内視鏡の先端側に配置され、操作ワイヤが弛緩している状態を示す図である。
【図８Ｃ】図８Ｃは、支持板の変形例を示す斜視図である。
【図９Ａ】図９Ａは、本発明の第３の実施形態に係る挿入口における概略断面図であり、ガイドチューブが挿入口に挿入され、回動機構が回動し、操作ワイヤが緊張している状態を示す図である。
【図９Ｂ】図９Ｂは、本発明の第３の実施形態に係る挿入口における概略断面図であり、ガイドチューブが挿入口から抜去され、回動機構が回動し、操作ワイヤが弛緩している状態を示す図である。
【図１０Ａ】図１０Ａは、本発明の第４の実施形態に係る挿入口における概略断面図である。
【図１０Ｂ】図１０Ｂは、本発明の第４の実施形態に係る挿入口における概略断面図であり、押し当て部が移動部を押し当て、移動部が内視鏡の先端側に移動し、プーリ台とプーリが内視鏡の基端側に配置され、操作ワイヤが緊張している状態を示す図である。
【図１０Ｃ】図１０Ｃは、本発明の第４の実施形態に係る挿入口における概略断面図であり、移動部が内視鏡の基端側に移動し、プーリ台とプーリが内視鏡の先端側に配置され、操作ワイヤが弛緩している状態を示す図である。
【図１１Ａ】図１１Ａは、押し当て部を有する挿入部材の側面図である。
【図１１Ｂ】図１１Ｂは、押し当て部の変形例である弾性リングを示す図である。
【図１１Ｃ】図１１Ｃは、弾性リングと、弾性リングが嵌め込まれた挿入部材に断面図である。
【図１１Ｄ】図１１Ｄは、弾性リングと、弾性リングが嵌め込まれた挿入部材の斜視図である。
【図１１Ｅ】図１１Ｅは、溝を有する挿入部材の側面図である。
【図１１Ｆ】図１１Ｆは、弾性リングが溝に嵌め込まれた状態の挿入部材の側面図である。
【図１２Ａ】図１２Ａは、２段湾曲内視鏡の湾曲部を示す斜視図である。
【図１２Ｂ】図１２Ｂは、２段湾曲内視鏡が２段にて湾曲していて状態を示す図である。
【符号の説明】
【０１９７】
１…内視鏡操作システム、２…内視鏡、１０…挿入部、１１…可撓管部、１２…湾曲部、５２…弛張機構、５２ａ…歯車機構、５２ｂ…引張移動機構、５２ｃ…回動機構、５４…操作ワイヤ、５７…移動部、６１…挿脱部（移動部）、７０…駆動機構、９０…調整部。
【図１】
0005096202.tif 000002
【図２Ａ】
0005096202.tif 000003
【図２Ｂ】
0005096202.tif 000004
【図３Ａ】
0005096202.tif 000005
【図３Ｂ】
0005096202.tif 000006
【図４】
0005096202.tif 000007
【図５】
0005096202.tif 000008
【図６】
0005096202.tif 000009
【図７Ａ】
0005096202.tif 000010
【図７Ｂ】
0005096202.tif 000011
【図８Ａ】
0005096202.tif 000012
【図８Ｂ】
0005096202.tif 000013
【図８Ｃ】
0005096202.tif 000014
【図９Ａ】
0005096202.tif 000015
【図９Ｂ】
0005096202.tif 000016
【図１０Ａ】
0005096202.tif 000017
【図１０Ｂ】
0005096202.tif 000018
【図１０Ｃ】
0005096202.tif 000019
【図１１Ａ】
0005096202.tif 000020
【図１１Ｂ】
0005096202.tif 000021
【図１１Ｃ】
0005096202.tif 000022
【図１１Ｄ】
0005096202.tif 000023
【図１１Ｅ】
0005096202.tif 000024
【図１１Ｆ】
0005096202.tif 000025
【図１２Ａ】
0005096202.tif 000026
【図１２Ｂ】
0005096202.tif 000027